(57)【要約】【課題】  重量の増大を抑制しながらも、製作精度を必要以上に高めることなく、しかも接地スペースを小さく抑えることができるスクリーン付家具を提供する点にある。【解決手段】  本体３に、それの前方に引き出した引き出し位置と該本体３内に格納した格納位置とに移動自在な引き出し１を備え、前記引き出し１の内部にスクリーン２を巻き取り収納し、前記引き出し１を引き出した状態で該引き出し内に収納されたスクリーン２を上方に立ち上げた使用姿勢と該引き出し内に巻き取り収納した収納姿勢とに姿勢変更自在に構成してなるスクリーン付家具において、前記引き出し１の少なくとも前側下面に該引き出し１を支持しながら移動可能とする転動体７を備えさせたことを特徴とする。【選択図】        図５
2005342132.tif 000002
【特許請求の範囲】
【請求項１】
本体に、それの前方に引き出した引き出し位置と該本体内に格納した格納位置とに移動自在な引き出しを備え、前記引き出しの内部にスクリーンを巻き取り収納し、前記引き出しを引き出した状態で該引き出し内に収納されたスクリーンを上方に立ち上げた使用姿勢と該引き出し内に巻き取り収納した収納姿勢とに姿勢変更自在に構成してなるスクリーン付家具において、前記引き出しの少なくとも前側下面に該引き出しを支持しながら移動可能とする転動体を備えさせたことを特徴とするスクリーン付家具。
【請求項２】
前記本体を前記スクリーンが収納された引き出しを収納可能な空間を備えた前面開放型の箱型状に構成し、前記本体の底板部に、前記引き出しの格納位置において該引き出しの前側下面に備えさせた転動体を入り込ませるための切欠きを備えさせてなる請求項１記載のスクリーン付家具。
【請求項３】
前記本体に対して前記引き出しの移動を案内するための案内手段を備えてなる請求項１又は２記載のスクリーン付家具。
【請求項４】
前記案内手段が、前記本体の底板部の上面に備えた第１ガイドレールと、このガイドレールに噛み合ってスライド移動自在にするために前記引き出しの底板部の下面に備えた第２ガイドレールとからなる請求項１〜３のいずれかに記載のスクリーン付家具。
【請求項５】
前記引き出しの前側下面及び後側下面に前記転動体を備えさせて、該引き出しのほぼ全重量を支持可能に構成し、前記引き出しの移動時に前記転動体の移動を許容するべく、前記本体の底板部に切欠きを備えさせる又は前記本体の下面を開放型に構成してなる請求項１記載のスクリーン付家具。
【請求項６】
前記本体にそれの重量を支持すると共に移動可能となる転動体を備えさせてなる請求項１〜５のいずれかに記載のスクリーン付家具。
【請求項７】
前記引き出しの前板部の下端面と床面との間に手を入れることができる隙間が発生するように該前板部の寸法を設定し、前記前板部の下端面よりも上方位置に前記引き出しの底板部を取り付け、前記隙間を介して前板部の下端部を掴んで前記引き出しを前方側へ引き出し可能に構成してなる請求項１〜６のいずれかに記載のスクリーン付家具。
【発明の詳細な説明】
【技術分野】
【０００１】
本発明は、本体の上面にいろんな物を載置することができるだけでなく、使用時には本体から引き出しを前方へ引き出してスクリーンを上方に立ち上げた使用姿勢にすることができ、又非使用時にはスクリーンを引き出し内に巻き取り収納してから引き出しを本体内の格納位置まで移動させることができるスクリーン付家具に関する。
【背景技術】
【０００２】
上記スクリーン付家具としては、例えば本体に、それの前方に引き出した引き出し位置と本体内に格納した格納位置とに移動自在な引き出しを備えさせ、前記引き出しの内部にスクリーンを巻き取り収納し、前記引き出しを引き出した状態で引き出し内に収納されたスクリーンを上方に立ち上げた使用姿勢と引き出し内に巻き取り収納した収納姿勢とに姿勢変更自在に構成し、前記本体の後方側左右端部それぞれに引き出しが格納された本体を支持するために本体の前後寸法よりも小さな前後寸法に構成されたコーナー用の支持部材を連結し、これら左右一対の支持部材に少なくとも前記収納姿勢のスクリーンよりも前方側で接地する接地部を備えた支持脚を備えさせたものが提案されている（例えば、特許文献１参照）。
【特許文献１】特開２００２−２７２５４６号公報
【発明の開示】
【発明が解決しようとする課題】
【０００３】
上記特許文献１のスクリーン付家具では、本体に引き出しの全重量を支持させる構成であるため、本体を厚みのある強度のあるものに構成しなければならず、全重量が重くなり、取扱面において不利になっていた。
又、スクリーンを収納した重量のある引き出しを本体に対してスムーズに引き出す構成にするためには、本体及び引き出しを精度よく製作しなければならず、コスト面において不利になっていた。
又、本体に対して引き出しを引き出した状態において左右の支持脚にて安定よく支持させるためには、左右の支持脚を本体に対して前方側へ大きく突出させなければならず、設計の自由度が低下するだけでなく、床面に大きな接地スペースを要するものであり、改善の余地があった。
【０００４】
本発明が前述の状況に鑑み、解決しようとするところは、重量の増大を抑制しながらも、製作精度を必要以上に高めることなく、しかも接地スペースを小さく抑えることができるスクリーン付家具を提供する点にある。
【課題を解決するための手段】
【０００５】
本発明は、前述の課題解決のために、本体に、それの前方に引き出した引き出し位置と該本体内に格納した格納位置とに移動自在な引き出しを備え、前記引き出しの内部にスクリーンを巻き取り収納し、前記引き出しを引き出した状態で該引き出し内に収納されたスクリーンを上方に立ち上げた使用姿勢と該引き出し内に巻き取り収納した収納姿勢とに姿勢変更自在に構成してなるスクリーン付家具において、前記引き出しの少なくとも前側下面に該引き出しを支持しながら移動可能とする転動体を備えさせて、スクリーン付家具を構成した。
上記のように引き出しの少なくとも前側下面に引き出しの重量の一部を支持させる転動体を備えさせることによって、本体に加わる引き出しの重量を軽減することができ、その分本体の厚みを薄くしても強度面において差し支えない。しかも、転動体にて引き出しの引き出し位置への移動中、引き出しの前側を接地支持していることから、引き出しの引き出し位置側への移動に伴い、スクリーン付家具全体の重心が前方側へ移動しても本体側でそれを考慮する必要がない。尚、引き出しの下面全域の特定箇所に転動体を取り付けて、引き出しの全重量を転動体にて支持させる場合には、本体に引き出しの重量が加わることがない。
【０００６】
前記本体を前記スクリーンが収納された引き出しを収納可能な空間を備えた前面開放型の箱型状に構成し、前記本体の底板部に、前記引き出しの格納位置において該引き出しの前側下面に備えさせた転動体を入り込ませるための切欠きを備えさせてもよい。
【０００７】
前記本体に対して前記引き出しの移動を案内するための案内手段を備えさせてもよい。
【０００８】
前記案内手段が、前記本体の底板部の上面に備えた第１ガイドレールと、このガイドレールに噛み合ってスライド移動自在にするために前記引き出しの底板部の下面に備えた第２ガイドレールとから構成してもよい。
【０００９】
前記引き出しの前側下面及び後側下面に前記転動体を備えさせて、該引き出しのほぼ全重量を支持可能に構成し、前記引き出しの移動時に前記転動体の移動を許容するべく、前記本体の底板部に切欠きを備えさせる又は前記本体の下面を開放型に構成してもよい。
【００１０】
前記本体にそれの重量を支持すると共に移動可能となる転動体を備えさせてもよい。
【００１１】
前記引き出しの前板部の下端面と床面との間に手を入れることができる隙間が発生するように該前板部の寸法を設定し、前記前板部の下端面よりも上方位置に前記引き出しの底板部を取り付け、前記隙間を介して前板部の下端部を掴んで前記引き出しを前方側へ引き出し可能に構成してもよい。
【発明の効果】
【００１２】
上記のように引き出しの少なくとも前側下面に引き出しの重量の一部を支持させる転動体を備えさせることによって、本体に加わる引き出しの重量を軽減することができ、その分本体の厚みを薄くしても強度面において差し支えなく、重量の増大を抑制しながらも、製作精度も必要以上に高めることも不要であり、しかも、転動体にて引き出しを常に支持する構成であることから、本体の接地スペースを小さく抑えることができるスクリーン付家具を提供することができる。引き出しの下面全域の特定箇所に転動体を取り付けて、引き出しの全重量を転動体にて支持させる場合には、本体に引き出しの重量が加わることがなく、引き出し作業をより一層スムーズに行うことが可能になる。
【００１３】
本体をスクリーンが収納された引き出しを収納可能な空間を備えた前面開放型の箱型状に構成し、本体の底板部に、引き出しの格納位置において引き出しの前側下面に備えさせた転動体を入り込ませるための切欠きを備えさせることによって、底板部を省略した下方開放型に構成した場合に比べて、本体の強度低下を抑制することができるだけでなく、切欠きに転動体を入り込ませることによって、本体に対して格納位置における引き出しの前面が突出することがない。
【００１４】
本体に対して引き出しの移動を案内するための案内手段を備えさせることによって、本体に対して引き出しをスムーズかつ迅速に行わせることができる。
【００１５】
案内手段を、本体の底板部の上面に備えた第１ガイドレールと、このガイドレールに噛み合ってスライド移動自在にするために引き出しの底板部の下面に備えた第２ガイドレールとから構成することによって、ガイドレールを本体の両横板部の内面と引き出しの両横板部の外面とにそれぞれ備えさせる場合において、引き出しの重量の一部がガイドレールに加わり、ガイドレールの変形するなどのトラブル発生を確実に回避することができる。
【００１６】
引き出しの前側下面及び後側下面に転動体を備えさせて、引き出しのほぼ全重量を支持可能に構成し、引き出しの移動時に転動体の移動を許容するべく、本体の底板部に切欠きを備えさせる又は前記本体の下面を開放型に構成することによって、底板部を有する本体に比べて、本体の強度が低下するものの、引き出しの全重量を転動体にて支持することで、引き出し時の拗れなどが発生することを少なくすることができる。
【００１７】
本体にそれの重量を支持すると共に移動可能となる転動体を備えさせることによって、本体も引き出しと一緒に移動が可能になり、自由に場所の移動が行える。
【００１８】
引き出しの前板部の下端面と床面との間に手を入れることができる隙間が発生するように該前板部の寸法を設定し、前記前板部の下端面よりも上方位置に前記引き出しの底板部を取り付け、前記隙間を介して前板部の下端部を掴んで前記引き出しを前方側へ引き出し可能に構成することによって、前板部に引き出し用の取っ手を取り付けることを不要にすることができ、製造コスト面において有利になる。
【発明を実施するための最良の形態】
【００１９】
図６及び図７に、引き出し１を引き出して該引き出し１に巻き取り収納されているスクリーン２を使用姿勢に姿勢変更したスクリーン付家具（以下、家具と言う）を示している。この家具は、平面視においてほぼ長方形状の木製（金属製や合成樹脂製等でもよい）の本体３に、それの前方に引き出した引き出し位置と本体３内に格納した格納位置とに移動自在な引き出し１を備え、この引き出し１内に前記スクリーン２を巻き取り収納している。ここでは、１つの引き出し１を備えさせた家具を示しているが、複数（２つ以上）の引き出し１を備えさせた家具であってもよい。前記引き出し１の引き出し操作を人為力にて行う他、電動モータなどの電動力を用いて行うようにしてもよい。又、前記スクリーン２も同様にそれの姿勢変更を人為力又は電動力で行うようにしてもよい。図６に示すＲは、立ち上げられたスクリーン２の裏面に位置する左右一対のリンク機構であり、このリンク機構Ｒによりスクリーン２の上端をどの位置においても停止させることができる構成であるが、他の構成であってもよい。実際には、スクリーン２の上端が取り付けられているバー４の左右方向ほぼ中央に取り付けられている取っ手５を手で持ち上げることにより、スクリーン２を上方に立ち上げた使用姿勢にすることができ、又この使用姿勢から取っ手を手で押し下げることにより、スクリーン２を引き出し１内に巻き取り収納した収納姿勢に姿勢変更することができるようにしている。
【００２０】
図１〜図５に示すように、前記本体３は、前記引き出し１を収納可能な空間を備えた前面開放型の箱型状に構成している。具体的には、物を置くことができる上面を備えたほぼ長方形状の天板部３Ａと、この天板部３Ａの左右両端から下方に延びる横断面形状がほぼＬ字状の左右の横側板部３Ｂ，３Ｃと、これら横側板部３Ｂ，３Ｃ間に配置されるほぼ長方形状の背（後）板部３Ｄと、下面に８個（個数は何個でもよい）のキャスター６が取り付けられたほぼ長方形状の底板部３Ｅとから本体３を構成しているが、図に示す構成以外であってもよい。前記キャスター６は、向き変更のできるタイプであってもよいし、キャスターに代えて球状体を支持部材に回転自在に支持させたものであってもよく、転動体の具体的構成は自由に変更することができる。前記転動体６としては、キャスターが好ましいが、床面との接触抵抗が小さな材質のものであれば、表面が球面に加工された脚体であってもよい。又、転動体６を省略して、本体３を容易に移動することができない構成であってもよい。前記底板部３Ｅは、長方形状の本体の左右及び後の３辺から下方に垂下した縦壁部ｅ１，ｅ２，ｅ３を備えさせてあり、キャスター６の上側部分が縦壁部ｅ１，ｅ２，ｅ３にて左右方向及び後方から見えないようにしており、意匠感を高めることができる利点があるが、底板部３Ｅを平板状のものから構成してもよい。
【００２１】
前記本体３に引き出し自在に押し込まれた前記引き出し１は、該本体３の前方の開口を閉じることができる大きさに構成されたほぼ長方形状の前板部１Ａと、この前板部１Ａの両端側内面から後方に延びるように取り付けられたほぼ長方形状の左右一対の横側板部１Ｂ，１Ｃと、これら横側板部１Ｂ，１Ｃの後端面に渡って取り付けられたほぼ長方形状の背板部１Ｄと、上面にスクリーン２を載置すると共に前方側下面の左右２箇所にキャスター７が取り付けられたほぼ長方形状の底板部１Ｅとから構成されているが、図に示す構成以外であってもよい。前記キャスター７，７は、底板部１Ｅの下面に補強用の金属製の薄い板部材１０を介して取り付けられているが、板部材１０を省略して取り付けてもよい。
前記本体３の底板部３Ｅの前端面に、前記引き出し１の格納位置において該引き出し１の前側下面に備えさせた前記キャスター７，７を入り込ませるための平面視においてほぼＵ字状の切欠き３Ｋ，３Ｋを備えさせている。従って、図５（ａ）に示すように、本体３内に引き出し１を収納している状態では、引き出し１のキャスター７，７が切欠き３Ｋ，３Ｋに入り込むと共に床面から少し上方に位置して床面に接地していない状態になり、本体３のキャスター６による移動時において引き出し１のキャスター７，７が不測に回転して本体３の移動に抵抗となることがないようにしているが、本体３内に引き出し１を収納している状態で引き出し１のキャスター７，７が床面に接地している状態であってもよい。前記本体３内から引き出し１を少し引き出すことにより、キャスター６が床面に接地するタイミングにする他、引き出し１を半分以上引き出してキャスター６が床面に接地するように構成してもよく、キャスター６が床面に接地するタイミングは自由に変更可能である。尚、図５（ａ）に示す収納状態の引き出し１を前方に引き出すことによって、図５（ｂ）に示すように、キャスター７，７が床面に接地して引き出し１の重量を支持することができるようになっている。
【００２２】
前記本体３に対して前記引き出し１の前後方向への移動を案内するための案内手段を備えている。この案内手段は、本体３の底板部３Ｅの上面に備えた左右一対の第１ガイドレール８，８と、これらガイドレール８，８に噛み合ってスライド移動自在にするために引き出し１の底板部１Ｅの下面に備えた左右一対の第２ガイドレール９，９とから構成することによって、ガイドレールを本体の両横板部の内面と引き出しの両横板部の外面とにそれぞれ備えさせる場合において、引き出しの重量の一部がガイドレールに加わり、ガイドレールの変形するなどのトラブル発生を確実に回避することができるが、ガイドレールを本体の両横板部の内面と引き出しの両横板部の外面とにそれぞれ備えさせて実施することもできる。
【００２３】
前記引き出し１の底板部１Ｅの前側下面にのみキャスター７，７を備えさせた場合を示したが、図８及び図９に示すように、底板部１Ｅの下面のほぼ全域の特定箇所（図では８箇所）にキャスター７を取り付け、引き出し１の格納位置において前記８個のキャスター７を入り込ませるためのほぼ長方形状の大きな切欠き３Ｕを形成している。前記底板部１Ｅの下面には、ほぼ全域に渡る大きさの前記補強用の板部材１０を取り付けているが、無くてもよい。このように底板部１Ｅの下面のほぼ全域にキャスター７を取り付けている場合には、本体３を移動させる場合において、本体３に対して引き出し１が不測に移動することがないようにして実施することが好ましい。例えば本体３と引き出し１とを一体的に移動させるべく、両者を連結固定する固定機構などを備えさせて実施してもよい。
【図面の簡単な説明】
【００２４】
【図１】スクリーンを省略した引き出しを引き出した状態の家具の横断平面図である。
【図２】引き出しを収納した状態の家具の横断平面図である。
【図３】家具の縦断正面図である。
【図４】家具の底面図である。
【図５】家具の縦断側面図を示し、（ａ）は引き出しを収納した状態を示し、（ｂ）は引き出しを引き出した状態を示している。
【図６】引き出しを引き出してスクリーンを使用状態にした家具の正面図である。
【図７】引き出しを引き出してスクリーンを使用状態にした家具の斜視図である。
【図８】別の構成の家具の底面図を示し、（ａ）は引き出しを収納した状態を示し、（ｂ）は引き出しを引き出した状態を示している。
【図９】図８で示した家具の縦断正面図である。
【符号の説明】
【００２５】
１Ａ  前板部
１Ｅ  底板部
１Ｂ，１Ｃ  横側板部
１Ｄ  背板部
２  スクリーン
３Ａ  天板部
３Ｅ  底板部
３  本体
３Ｄ  板部
３Ｂ，３Ｃ  横側板部
４  バー
５  取っ手
６，７  キャスター（転動体）
８，９  ガイドレール
１０  板部材
ｅ１，ｅ２，ｅ３  縦壁部
Ｒ  リンク機構
【図１】
2005342132.tif 000003
【図２】
2005342132.tif 000004
【図３】
2005342132.tif 000005
【図４】
2005342132.tif 000006
【図５】
2005342132.tif 000007
【図６】
2005342132.tif 000008
【図７】
2005342132.tif 000009
【図８】
2005342132.tif 000010
【図９】
2005342132.tif 000011